(57)【特許請求の範囲】
【請求項１】
質問セクションと表示セクションから構成され、前記質問セクションは、生活のテーマを決める個別質問セクションに対応する「生活の中で大切にしていることは」と言う質問と、プラン、空間タイプを決める個別質問セクションに対応する「ダイニングとの関係は」と言う質問と、設備や性能を決める個別質問セクションに対応する「どんな作業をするの」と言う質問と、サイズを決める個別質問セクションに対応する「だれが主に使うの」と言う質問と、仕上げを決める個別質問セクションに対応する「どんなしつらえにしたい」と言う質問との５個からなり、各個別質問セクションは、それぞれ個別質問セクションの質問に対して親自然派のキッチン、くつろぎ家事派のキッチン、変幻自在空間派のキッチンからなる３個の概念に対応する３個の選択肢が掲げられ、
また、前記表示セクションは、各個別質問セクションにおける３個の選択肢にそれぞれ対応して設置された選択スイッチと、各選択スイッチの押圧操作によって点灯するとともに、５個の各質問セクションの３個の選択肢に対応して５個ずつ３列に配置された表示部からなり、各個別質問セクションの選択肢の選択結果に基づいて点灯した表示部の各列の集中度によって親自然派のキッチン、くつろぎ家事派のキッチン、変幻自在空間派のキッチンからなる３個のテーマキッチンの中の１個のテーマキッチンを選択することを特徴とするキッチン体験ゾーンの表示パネル。
【発明の詳細な説明】
【０００１】
【発明の属する技術分野】
本発明は、キッチン体験ゾーンの表示パネルに関するものである。
【０００２】
【従来技術】
一般に、住宅を建設する場合、主婦の最も関心度の高い空間はキッチンである。それは、キッチンがただ単に料理をつくるだけでなく、毎日の家事や家族の健康、団らん、教育などの家族生活と密接に関わっているからである。女性の社会進出を背景に、家事の合理化という流れがある一方で、キッチンに対する種々の情報があふれ、要求も多様化し高度化している。また、普段、キッチンに立つことの少ない人にとって、生活スタイルに合わせたキッチンを提案するのはなかなか難しい。
【０００３】
このような背景から、出願人は、生活スタイルに合わせた複数のテーマキッチンからなるキッチン体験ゾーンを設定し、キッチン体験ゾーンへの来館者がそれぞれ各テーマキッチンにおいて体験学習できるようにしている。このキッチン体験ゾーンにおけるテーマキッチンは、来館者のアンケートを分析し、その結果から得られた生活者の志向が、環境や健康といったエコロジー意識の軸と、料理を作る際、一人でもしくは誰かと一緒にの参加という軸の２つの意識に相関関係が見つかったことに着目して、くつろぎ家事派、変幻自在空間派、親自然派の３つが用意されている。
【０００４】
【発明が解決しようとする課題】
ところで、前述したキッチン体験ゾーンへの来館者がそれぞれのテーマキッチンで体験学習するために直ちに出向いた場合、各テーマキッチン、すなわち、親自然派のキッチン、くつろぎ家事派のキッチン、変幻自在空間派のキッチンの設計意図を十分に把握できないおそれがある。
【０００５】
本発明は、このような問題点に鑑みてなされたもので、来館者がキッチン体験ゾーンにおける３つのテーマキッチンを体験学習するのに先立ってその概略内容を把握し、各自が目指すキッチンを見つけて関心を高めることのできるキッチン体験ゾーンの表示パネルを提供するものである。
【０００６】
【課題を解決するための手段】
本発明は、質問セクションと表示セクションから構成され、前記質問セクションは、生活のテーマを決める個別質問セクションに対応する「生活の中で大切にしていることは」と言う質問と、プラン、空間タイプを決める個別質問セクションに対応する「ダイニングとの関係は」と言う質問と、設備や性能を決める個別質問セクションに対応する「どんな作業をするの」と言う質問と、サイズを決める個別質問セクションに対応する「だれが主に使うの」と言う質問と、仕上げを決める個別質問セクションに対応する「どんなしつらえにしたい」と言う質問との５個からなり、各個別質問セクションは、それぞれ個別質問セクションの質問に対して親自然派のキッチン、くつろぎ家事派のキッチン、変幻自在空間派のキッチンからなる３個の概念に対応する３個の選択肢が掲げられ、
また、前記表示セクションは、各個別質問セクションにおける３個の選択肢にそれぞれ対応して設置された選択スイッチと、各選択スイッチの押圧操作によって点灯するとともに、５個の各質問セクションの３個の選択肢に対応して５個ずつ３列に配置された表示部からなり、各個別質問セクションの選択肢の選択結果に基づいて点灯した表示部の各列の集中度によって親自然派のキッチン、くつろぎ家事派のキッチン、変幻自在空間派のキッチンからなる３個のテーマキッチンの中の１個のテーマキッチンを選択することを特徴とするものである。
【０００７】
この発明によれば、キッチン体験ゾーンへの来館者は、各自の考えに基づいて各質問に対する選択肢を選択して選択スイッチを押圧操作することにより、テーマキッチンでの体験学習に先立って親自然派のキッチン、くつろぎ家事派のキッチン、変幻自在空間派のキッチンからなる３個の各テーマキッチンの概略内容を質問を通じて把握することができるとともに、各自が目指すテーマキッチンを見つけてそのテーマキッチンに対する関心を高めることができる。
【０００８】
【発明の実施の形態】
図１には、本発明のキッチン体験ゾーンの表示パネル１が示されている。
【０００９】
この表示パネル１は、質問セクション１０と、表示セクション２０と、から構成されている。
【００１０】
質問セクション１０は、５個の個別質問セクション、具体的には、生活のテーマを決める第１個別質問セクション１１と、プラン、空間タイプを決める第２個別質問セクション１２と、設備や性能を決める第３個別質問セクション１３と、サイズを決める第４個別質問セクション１４と、仕上げを決める第５個別質問セクション１５と、から構成されている。
【００１１】
生活のテーマを決める第１個別質問セクション１１においては、「生活の中で大切にしていることは？」が質問として掲げられるとともに、その質問に対して「家族の健康を第一に、家事は手を抜かずにきちんとこなしたい。」「家事は効率よく済ませて、もっと暮らしをエンジョイしたい。」「家庭菜園が楽しめて生ゴミも肥料にする、そんな自然な暮らしが理想。」との３個の選択肢が掲げられている（図２参照）。そして、３個の選択肢に対してそれぞれ順に市販のカレー粉１１１、レトルトカレー１１２、カレーを作るための素材１１３が展示されている。
【００１２】
プラン、空間タイプを決める第２個別質問セクション１２においては、「ダイニングとの関係は？」が質問として掲げられるとともに、その質問に対して「ある時はキッチンに、ある時はダイニングやリビングに。それでいてスッキリ美しければ最高。」「庭やサービスヤードに出やすく、四季が楽しめるキッチン・ダイニングにしたい。」「キッチンは、来客の気にならないよう家族室とうまくつなげたい。」との３個の選択肢が掲げられている（図３参照）。そして、３個の選択肢に対して、それぞれ順にリノリウム床材とスリッパ１２１、タイル床材とサンダル１２２、畳と靴下１２３が展示されている。
【００１３】
設備や性能を決める第３個別質問セクション１３においては、「どんな作業をするの？」が質問として掲げられるとともに、その質問に対して「普段の料理は手早くこなすが、魚もさばくし揚げ物や本格中華もする。」「食材は厳選し、手作りが基本。収穫した野菜は近所に配ったり保存食に。」「料理のモットーは手間ひまかけず、便利なものはどんどん利用すること。」との３個の選択肢が掲げられている（図４参照）。そして、３個の選択肢に対して、それぞれ順に食卓塩１３１、粗塩１３２、化学調味料１３３が展示されている。
【００１４】
サイズを決める第４個別質問セクション１４においては、「だれが主に使うの？」が質問として掲げられるとともに、その質問に対して「家族が各々気軽に料理することが多く、仲間でワイワイやることも。」「夫や子供が手伝うことで、我が家の味が伝わり、そして家族の絆が深まる。」「共同作業の場でもあるキッチン。家族で協力して作る料理ほど美味しいものはない。」との３個の選択肢が掲げられている（図５参照）。そして、３個の選択肢に対して、それぞれ順にキッチン鋏１４１、西包丁１４２、和包丁１４３が展示されている。
【００１５】
仕上げを決める第５個別質問セクション１５においては、「どんなしつらえにしたい？」が質問として掲げられるとともに、その質問に対して「多目的に使える家族部屋になじむような、落ち着いた仕上げと機能が欲しい。」「使い勝手優先の収納や、自然感覚を大切にした素材をとりいれ、気取らない雰囲気にしたい。」「汚れにくく、手入れがしやすく、しかも機能的で美しく洗練されたデザインにしたい。」との３個の選択肢が掲げられている（図６参照）。そして、３個の選択肢に対して、それぞれ順に茶碗と椀と和皿と箸１５１、大皿と盛り皿と箸１５２、盛り皿とナイフ・フォーク１５３が展示されている。
【００１６】
一方、表示セクション２０は、前述した質問セクション１０における５個の個別質問セクション１１，１２，１３，１４，１５にそれぞれ３個ずつ、計１５個掲げられた選択肢に対応して設けられた１５個の選択スイッチ２１と、各選択スイッチ２１に対応してそれぞれ５個ずつ３列に設けられた表示部２２からなり、各選択スイッチ２１を押圧操作することにより、対応する各列の表示部２２が点灯するように設定されている。そして、各列の表示部２２の後端には、３個のテーマキッチン、すなわち、「くつろぎ家事派のキッチン」、「変幻自在空間派のキッチン」、「親自然派のキッチン」が掲げられている。
【００１７】
したがって、キッチン体験ゾーンへの来館者は、まず、表示パネル１に対面し、質問セクション１０の第１個別質問セクション１１において、自分が首肯する選択肢を選択して対応する選択スイッチ２１を押圧操作すると、対応する列の表示部２２が点灯するものである。以下、同様に、各個別質問セクション１２乃至１５において、自分が首肯する選択肢を選択して対応する選択スイッチ２１を押圧操作することにより、対応する列の表示部２２が点灯することになる。こうして、各列の表示部２２において、多数点灯した集中度の高い列を選択することにより、キッチン体験ゾーンにおけるテーマキッチンを体験学習するのに先立って各テーマキッチンの概略内容を把握することができ、また、各自が目指すテーマキッチンを確認して関心を高めることができる。
【００１８】
なお、前述した実施形態においては、各選択スイッチ２１に一対一に対応して表示部２２を設けた場合を例示したが、質問セクション１０における各個別質問セクション１１乃至１５に重み付けを行う場合は、選択された選択スイッチ２１を押圧した際に複数個の表示部２２を点灯させるようにすればよい。
【００１９】
【発明の効果】
以上のように本発明によれば、キッチン体験ゾーンへの来館者は、各自の考えに基づいて各質問に対する選択肢を選択して選択スイッチを押圧操作することにより、テーマキッチンでの体験学習に先立って親自然派のキッチン、くつろぎ家事派のキッチン、変幻自在空間派のキッチンからなる３個の各テーマキッチンの概略内容を質問を通じて把握することができるとともに、各自が目指すテーマキッチンを見つけてそのテーマキッチンに対する関心を高めることができる。
【図面の簡単な説明】
【図１】本発明のキッチン体験ゾーンの表示パネルを示す正面図である。
【図２】本発明の表示パネルの質問セクション中、生活のテーマを決める個別質問セクションの詳細を示す正面図である。
【図３】本発明の表示パネルの質問セクション中、プラン、空間タイプを決める個別質問セクションの詳細を示す正面図である。
【図４】本発明の表示パネルの質問セクション中、設備や性能を決める個別質問セクションの詳細を示す正面図である。
【図５】本発明の表示パネルの質問セクション中、サイズを決める個別質問セクションの詳細を示す正面図である。
【図６】本発明の表示パネルの質問セクション中、仕上げを決める個別質問セクションの詳細を示す正面図である。
【符号の説明】
１  表示パネル
１０  質問セクション
１１，１２，１３，１４，１５  個別質問セクション
２０  表示セクション
２１  選択スイッチ
２２  表示部
【図１】
0003716115.tif 000002
【図２】
0003716115.tif 000003
【図３】
0003716115.tif 000004
【図４】
0003716115.tif 000005
【図５】
0003716115.tif 000006
【図６】
0003716115.tif 000007